(57)【要約】【課題】  服飾類にゲルマニウムチップを取付けて、ゲルマニウムチップを皮膚に接触させ、体内の血行を良くすることができるゲルマニウムチップの取付構造体を提供する。【解決手段】  凹窪部３と凹窪部３の底面壁部４に形成された貫孔５とを有する受金具６を、内層部材７と外層部材８を積層状に有する帯状体１の内層部材７に、受金具６の貫孔５に挿通したかしめピン９を挿通して先端10をかしめて固着する。ゲルマニウムチップ２が、受金具６の凹窪部３に嵌込状として、接着されている。【選択図】  図３
0003104490.tif 000002
【実用新案登録請求の範囲】
【請求項１】
凹窪部（３）と該凹窪部（３）の底面壁部（４）に形成された貫孔（５）とを有する受金具（６）を、内層部材（７）と外層部材（８）を積層状に有する帯状体（１）の該内層部材（７）に、上記受金具（６）の上記貫孔（５）に挿通したかしめピン（９）を挿通して先端（10）をかしめて固着し、かつ、ゲルマニウムチップ（２）を、上記受金具（６）の凹窪部（３）に嵌込状として、接着したことを特徴とするゲルマニウムチップ取付構造体。
【請求項２】
凹窪部（３）と該凹窪部（３）の底面壁部（４）に形成された貫孔（５）とを有する受金具（６）を、内層部材（７）と外層部材（８）を積層状に有する帯状体（１）の該内層部材（７）に、上記受金具（６）の上記貫孔（５）に挿通したかしめピン（９）を挿通して先端（10）をかしめて膨出部（11）を形成するとともに固着し、該膨出部（11）を上記外層部材（８）にて目隠しし、かつ、ゲルマニウムチップ（２）を、上記受金具（６）の凹窪部（３）に嵌込状として、接着したことを特徴とするゲルマニウムチップ取付構造体。
【請求項３】
凹窪部（３）と該凹窪部（３）の底面壁部（４）に形成された貫孔（５）とを有する受金具（６）を、内層部材（７）と外層部材（８）を積層状に有する帯状体（１）の該内層部材（７）に、上記受金具（６）の上記貫孔（５）に挿通したかしめピン（９）を挿通して先端（10）をかしめて固着し、かつ、ゲルマニウムチップ（２）を、上記受金具（６）の凹窪部（３）に嵌込状として、接着したゲルマニウムチップ取付構造体であって、上記帯状体（１）が、腕に巻付けるバンドから成ることを特徴とするゲルマニウムチップ取付構造体。
【請求項４】
凹窪部（３）と該凹窪部（３）の底面壁部（４）に形成された貫孔（５）とを有する受金具（６）を、内層部材（７）と外層部材（８）を積層状に有する帯状体（１）の該内層部材（７）に、上記受金具（６）の上記貫孔（５）に挿通したかしめピン（９）を挿通して先端（10）をかしめて固着し、かつ、ゲルマニウムチップ（２）を、上記受金具（６）の凹窪部（３）に嵌込状として、接着したゲルマニウムチップ取付構造体であって、上記帯状体（１）が、サンバイザー（Ｖ）の帯体（Ｂ）の内面（Ｎ）に面状ファスナー（Ｆ2 ）にて着脱自在に取付けられる巻付部材から成ることを特徴とするゲルマニウムチップ取付構造体。
【考案の詳細な説明】
【技術分野】
【０００１】
本考案は、ゲルマニウム取付構造体に関する。
【背景技術】
【０００２】
一般に、ゲルマニウムを皮膚に当接させると、体内の血行を良くすることが知られており、肩凝り・腰痛の治療等に使用されている。
【０００３】
しかし、ゲルマニウムチップは、皮革や布等に接着させるのが困難であって、仮に接着させたとしても接着力が弱く、すぐに離脱するという欠点があった。また、ゲルマニウムチップは脆いので、物に当たると破損しやすいという欠点があった。
【考案の開示】
【考案が解決しようとする課題】
【０００４】
解決しようとする課題は、ゲルマニウムチップを皮革や布等に確実に取付けることができない点である。
【課題を解決するための手段】
【０００５】
そこで、本考案に係るゲルマニウムチップの取付構造は、凹窪部と該凹窪部の底面壁部に形成された貫孔とを有する受金具を、内層部材と外層部材を積層状に有する帯状体の該内層部材に、上記受金具の上記貫孔に挿通したかしめピンを挿通して先端をかしめて固着し、かつ、ゲルマニウムチップを、上記受金具の凹窪部に嵌込状として、接着したものである。
また、凹窪部と該凹窪部の底面壁部に形成された貫孔とを有する受金具を、内層部材と外層部材を積層状に有する帯状体の該内層部材に、上記受金具の上記貫孔に挿通したかしめピンを挿通して先端をかしめて膨出部を形成するとともに固着し、該膨出部を上記外層部材にて目隠しし、かつ、ゲルマニウムチップを、上記受金具の凹窪部に嵌込状として、接着したものである。
また、凹窪部と該凹窪部の底面壁部に形成された貫孔とを有する受金具を、内層部材と外層部材を積層状に有する帯状体の該内層部材に、上記受金具の上記貫孔に挿通したかしめピンを挿通して先端をかしめて固着し、かつ、ゲルマニウムチップを、上記受金具の凹窪部に嵌込状として、接着したゲルマニウムチップ取付構造体であって、上記帯状体が、腕に巻付けるバンドから成るものである。
また、凹窪部と該凹窪部の底面壁部に形成された貫孔とを有する受金具を、内層部材と外層部材を積層状に有する帯状体の該内層部材に、上記受金具の上記貫孔に挿通したかしめピンを挿通して先端をかしめて固着し、かつ、ゲルマニウムチップを、上記受金具の凹窪部に嵌込状として、接着したゲルマニウムチップ取付構造体であって、上記帯状体が、サンバイザーの帯体の内面に面状ファスナーにて着脱自在に取付けられる巻付部材から成るものである。
【考案の効果】
【０００６】
本考案のゲルマニウムチップの取付構造体によれば、ゲルマニウムチップを皮革や布等に確実に取付けることができる。そして、服飾類にゲルマニウムチップを取付けて、ゲルマニウムチップを皮膚に接触させ、体内の血行を良くすることができる。また、ゲルマニウムチップを破損しにくくすることができる。
【考案を実施するための最良の形態】
【０００７】
図１〜図３は、本考案の第１の実施の形態を示す。このゲルマニウムの取付構造体は、腕（図示省略）に巻付けるバンドから成る帯状体１に、略半球状ゲルマニウムチップ２を取付けたものである。帯状体１の材質は、例えば、合成皮革（クラリーノ）や布等である。帯状体１の両端１ａ，１ａには、面状ファスナーＦ1 が付設されている。
【０００８】
具体的には、凹窪部３と凹窪部３の底面壁部４に形成された貫孔５とを有する受金具６が、内層部材７と外層部材８を積層状に有する帯状体１の内層部材７に、受金具６の貫孔５に挿通したかしめピン９を挿通して先端10をかしめて膨出部11を形成するとともに固着されている。膨出部11は外層部材８にて目隠しされている。ゲルマニウムチップ２が、受金具６の凹窪部３に嵌込状として、接着Ｓされている。
【０００９】
図４〜図６は、第２の実施の形態を示す。帯状体１が、サンバイザーＶの帯体Ｂの内面Ｎに面状ファスナーＦ2 にて着脱自在に取付けられる巻付部材から成る。
【００１０】
なお、本考案は、設計変更可能であって、例えば、帯状体１が、犬や猫の首輪のベルトから成るも良い。
【００１１】
以上のように、本考案は、凹窪部３と凹窪部３の底面壁部４に形成された貫孔５とを有する受金具６を、内層部材７と外層部材８を積層状に有する帯状体１の内層部材７に、受金具６の貫孔５に挿通したかしめピン９を挿通して先端10をかしめて固着し、かつ、ゲルマニウムチップ２を、受金具６の凹窪部３に嵌込状として、接着したので、ゲルマニウムチップを皮革や布等に確実に取付けることができる。そして、服飾類にゲルマニウムチップを取付けて、ゲルマニウムチップを皮膚に接触させ、体内の血行を良くすることができる。また、ゲルマニウムチップを破損しにくくすることができる。
また、凹窪部３と凹窪部３の底面壁部４に形成された貫孔５とを有する受金具６を、内層部材７と外層部材８を積層状に有する帯状体１の内層部材７に、受金具６の貫孔５に挿通したかしめピン９を挿通して先端10をかしめて膨出部11を形成するとともに固着し、膨出部11を外層部材８にて目隠しし、かつ、ゲルマニウムチップ２を、受金具６の凹窪部３に嵌込状として、接着したので、ゲルマニウムチップを皮革や布等に確実に取付けることができる。そして、服飾類にゲルマニウムチップを取付けて、ゲルマニウムチップを皮膚に接触させ、体内の血行を良くすることができる。また、ゲルマニウムチップを破損しにくくすることができる。
【００１２】
また、凹窪部３と凹窪部３の底面壁部４に形成された貫孔５とを有する受金具６を、内層部材７と外層部材８を積層状に有する帯状体１の内層部材７に、受金具６の貫孔５に挿通したかしめピン９を挿通して先端10をかしめて固着し、かつ、ゲルマニウムチップ２を、受金具６の凹窪部３に嵌込状として、接着したゲルマニウムチップ取付構造体であって、帯状体１が、腕に巻付けるバンドから成るので、特に腕の血行を良くすることができる。
また、凹窪部３と凹窪部３の底面壁部４に形成された貫孔５とを有する受金具６を、内層部材７と外層部材８を積層状に有する帯状体１の内層部材７に、受金具６の貫孔５に挿通したかしめピン９を挿通して先端10をかしめて固着し、かつ、ゲルマニウムチップ２を、受金具６の凹窪部３に嵌込状として、接着したゲルマニウムチップ取付構造体であって、帯状体１が、サンバイザーＶの帯体Ｂの内面Ｎに面状ファスナーＦ2 にて着脱自在に取付けられる巻付部材から成るので、特に頭部やこめかみの血行を良くすることができる。
【図面の簡単な説明】
【００１３】
【図１】本考案の第１の実施の形態を示す正面図である。
【図２】正面図である。
【図３】要部拡大断面正面図である。
【図４】第２の実施の形態を示す斜視図である。
【図５】斜視図である。
【図６】要部拡大断面正面図である。
【符号の説明】
【００１４】
１  帯状体
２  ゲルマニウムチップ
３  凹窪部
４  底面壁部
５  貫孔
６  受金具
７  内層部材
８  外層部材
９  かしめピン
10  先端
11  膨出部
Ｂ  帯体
Ｆ2   面状ファスナー
Ｎ  内面
Ｖ  サンバイザー
【図１】
0003104490.tif 000003
【図２】
0003104490.tif 000004
【図３】
0003104490.tif 000005
【図４】
0003104490.tif 000006
【図５】
0003104490.tif 000007
【図６】
0003104490.tif 000008